【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
ユーザの動きを動作情報として検出する工程と、
前記動作情報から、ユーザの動作パターンをキー情報として検出する工程と、
複数のコンテンツから、前記キー情報に応じたコンテンツパターンのコンテンツを検索する工程と、
を備えるコンテンツ検索方法。
【請求項２】
請求項１に記載のコンテンツ検索方法であって、
前記検出したキー情報を登録する工程と、
その登録したキー情報を呼び出す工程と、
をさらに備え、
前記検索工程は、複数のコンテンツから、前記呼び出したキー情報に応じたコンテンツパターンのコンテンツを検索するコンテンツ検索方法。
【請求項３】
ユーザの動きを動作情報として検出する工程と、
前記動作情報から、ユーザの動作パターンをキー情報として検出する工程と、
複数のコンテンツリストから、前記キー情報に応じたコンテンツパターンのコンテンツがリストアップされたコンテンツリストを検索する工程と、
を備えるコンテンツリスト検索方法。
【請求項４】
請求項３に記載のコンテンツリスト検索方法であって、
前記検出したキー情報を登録する工程と、
その登録したキー情報を呼び出す工程と、
をさらに備え、
前記検索工程は、複数のコンテンツリストから、前記呼び出したキー情報に応じたコンテンツパターンのコンテンツがリストアップされたコンテンツリストを検索するコンテンツリスト検索方法。
【請求項５】
請求項１に記載のコンテンツ検索方法であって、
前記検出した動作情報を通信ネットワークを介して検索サーバに送信する工程を、さらに備え、
前記キー情報検出工程は、前記検索サーバにおいて、前記送信された動作情報から、ユーザの動作パターンをキー情報として検出し、
前記検索工程は、前記検索サーバにおいて、複数のコンテンツから、前記キー情報に応じたコンテンツパターンのコンテンツを検索するコンテンツ検索方法。
【請求項６】
請求項１に記載のコンテンツ検索方法であって、
前記検出したキー情報を登録する工程と、
その登録したキー情報を呼び出し、通信ネットワークを介して検索サーバに送信する工程と、
をさらに備え、
前記検索工程は、前記検索サーバにおいて、複数のコンテンツから、前記送信されたキー情報に応じたコンテンツパターンのコンテンツを検索するコンテンツ検索方法。
【請求項７】
請求項３に記載のコンテンツリスト検索方法であって、
前記検出した動作情報を通信ネットワークを介して検索サーバに送信する工程を、さらに備え、
前記キー情報検出工程は、前記検索サーバにおいて、前記送信された動作情報から、ユーザの動作パターンをキー情報として検出し、
前記検索工程は、前記検索サーバにおいて、複数のコンテンツリストから、前記キー情報に応じたコンテンツパターンのコンテンツがリストアップされたコンテンツリストを検索するコンテンツリスト検索方法。
【請求項８】
請求項３に記載のコンテンツリスト検索方法であって、
前記検出したキー情報を登録する工程と、
その登録したキー情報を呼び出し、通信ネットワークを介して検索サーバに送信する工程と、
をさらに備え、
前記検索工程は、前記検索サーバにおいて、複数のコンテンツリストから、前記送信されたキー情報に応じたコンテンツパターンのコンテンツがリストアップされたコンテンツリストを検索するコンテンツリスト検索方法。
【請求項９】
請求項１に記載のコンテンツ検索方法であって、
前記検出したキー情報を通信端末に送信する工程を、さらに備え、
前記検索工程は、前記通信端末において、複数のコンテンツから、前記送信されたキー情報に応じたコンテンツパターンのコンテンツを検索するコンテンツ検索方法。
【請求項１０】
請求項１に記載のコンテンツ検索方法であって、
前記検出した動作情報を通信端末に送信する工程を、さらに備え、
前記キー情報検出工程は、前記通信端末において、前記送信された動作情報から、ユーザの動作パターンをキー情報として検出し、
前記検索工程は、前記通信端末において、複数のコンテンツから、前記キー情報に応じたコンテンツパターンのコンテンツを検索するコンテンツ検索方法。
【請求項１１】
請求項１に記載のコンテンツ検索方法であって、
前記検出したキー情報を登録する工程と、
その登録したキー情報を呼び出し、通信端末に送信する工程と、
をさらに備え、
前記検索工程は、前記通信端末において、複数のコンテンツから、前記送信されたキー情報に応じたコンテンツパターンのコンテンツを検索するコンテンツ検索方法。
【請求項１２】
請求項３に記載のコンテンツリスト検索方法であって、
前記検出したキー情報を通信端末に送信する工程を、さらに備え、
前記検索工程は、前記通信端末において、複数のコンテンツリストから、前記送信されたキー情報に応じたコンテンツパターンのコンテンツがリストアップされたコンテンツリストを検索するコンテンツリスト検索方法。
【請求項１３】
請求項３に記載のコンテンツリスト検索方法であって、
前記検出した動作情報を通信端末に送信する工程を、さらに備え、
前記キー情報検出工程は、前記通信端末において、前記送信された動作情報から、ユーザの動作パターンをキー情報として検出し、
前記検索工程は、前記通信端末において、複数のコンテンツリストから、前記キー情報に応じたコンテンツパターンのコンテンツがリストアップされたコンテンツリストを検索するコンテンツリスト検索方法。
【請求項１４】
請求項３に記載のコンテンツリスト検索方法であって、
前記検出したキー情報を登録する工程と、
その登録したキー情報を呼び出し、通信端末に送信する工程と、
をさらに備え、
前記検索工程は、前記通信端末において、複数のコンテンツリストから、前記送信されたキー情報に応じたコンテンツパターンのコンテンツがリストアップされたコンテンツリストを検索するコンテンツリスト検索方法。
【請求項１５】
複数のコンテンツのコンテンツデータおよび／またはコンテンツ付属情報を記憶保持する記憶装置部と、
ユーザの動きを動作情報として検出し、その動作情報から、ユーザの動作パターンをキー情報として検出する検出手段と、
前記記憶装置部にコンテンツデータおよび／またはコンテンツ付属情報が記録されている複数のコンテンツから、前記キー情報に応じたコンテンツパターンのコンテンツを検索する検索手段と、
を備えるコンテンツ検索装置。
【請求項１６】
それぞれコンテンツパターンが同一または類似のコンテンツがリストアップされた複数のコンテンツリストを記憶保持する記憶装置部と、
ユーザの動きを動作情報として検出し、その動作情報から、ユーザの動作パターンをキー情報として検出する検出手段と、
前記記憶装置部に記録されている複数のコンテンツリストから、前記キー情報に応じたコンテンツパターンのコンテンツがリストアップされたコンテンツリストを検索する検索手段と、
を備えるコンテンツリスト検索装置。
【請求項１７】
通信ネットワークを介してユーザ端末が接続される検索サーバであって、
複数のコンテンツのコンテンツデータおよび／またはコンテンツ付属情報を記憶保持するデータベースと、
このデータベースにコンテンツデータおよび／またはコンテンツ付属情報が記録されている複数のコンテンツから、前記ユーザ端末から送信されたユーザの動きを示す情報に応じたコンテンツパターンのコンテンツを検索する検索手段と、
を備える検索サーバ。
【請求項１８】
通信ネットワークを介してユーザ端末が接続される検索サーバであって、
それぞれコンテンツパターンが同一または類似のコンテンツがリストアップされた複数のコンテンツリストを記憶保持するデータベースと、
このデータベースに記録されている複数のコンテンツリストから、前記ユーザ端末から送信されたユーザの動きを示す情報に応じたコンテンツパターンのコンテンツがリストアップされたコンテンツリストを検索する検索手段と、
を備える検索サーバ。
【請求項１９】
コンテンツの検索のためにコンピュータを、
ユーザの動きを動作情報として検出し、その動作情報から、ユーザの動作パターンをキー情報として検出する手段、および、
複数のコンテンツから、前記キー情報に応じたコンテンツパターンのコンテンツを検索する手段、
として機能させるためのコンテンツ検索用プログラム。
【請求項２０】
コンテンツリストの検索のためにコンピュータを、
ユーザの動きを動作情報として検出し、その動作情報から、ユーザの動作パターンをキー情報として検出する手段、および、
複数のコンテンツリストから、前記キー情報に応じたコンテンツパターンのコンテンツがリストアップされたコンテンツリストを検索する手段、
として機能させるためのコンテンツリスト検索用プログラム。
【手続補正２】
【補正対象書類名】明細書
【補正対象項目名】００１６
【補正方法】変更
【補正の内容】
【００１６】
この発明のコンテンツ検索方法は、
ユーザの動きを動作情報として検出する工程と、
前記動作情報から、ユーザの動作パターンをキー情報として検出する工程と、
複数のコンテンツから、前記キー情報に応じたコンテンツパターンのコンテンツを検索する工程と、
を備える方法である。
【手続補正３】
【補正対象書類名】明細書
【補正対象項目名】００１７
【補正方法】変更
【補正の内容】
【００１７】
この発明のコンテンツリスト検索方法は、
ユーザの動きを動作情報として検出する工程と、
前記動作情報から、ユーザの動作パターンをキー情報として検出する工程と、
複数のコンテンツリストから、前記キー情報に応じたコンテンツパターンのコンテンツがリストアップされたコンテンツリストを検索する工程と、
を備える方法である。